(57)【特許請求の範囲】
【請求項１】
記憶部と、
前記記憶部に接続される利益試算部と、
電力使用パターンクラス生成処理部と、
需要家クラスカスタマイズ処理部と、
を備え、
前記記憶部は、需要家クラスのデータを記憶し、
前記記憶部は、前記需要家クラスを代表するロードカーブを含み、
前記記憶部は、電力使用の料金単価を含み、
前記記憶部は、複数の電力使用パターンクラスを記憶し、各電力使用パターンクラスは、前記電力使用パターンクラスを代表するロードカーブを表す代表ロードデータ列を含み、
各需要家クラスは、前記需要家クラスに関連付けられた電力使用パターンクラスを示す関連付けデータを含み、
前記利益試算部は、前記ロードカーブと前記料金単価に基づいて電力事業の利益を試算し、
前記電力使用パターンクラス生成処理部は、電力使用量の変動を表すロードデータ列に基づいて、前記ロードデータ列に対応する需要家を前記複数の電力使用パターンクラスの何れかに関連付け、
前記電力使用パターンクラス生成処理部は、各電力使用パターンクラスに関連付けられた需要家のロードデータ列に基づいて、前記電力使用パターンクラスの代表ロードデータ列を算出し、
前記需要家クラスカスタマイズ処理部は、各需要家クラスに関連付けられた電力使用パターンクラスの代表ロードデータ列に基づいて前記需要家クラスの標準ロードデータ列を算出する、
電力事業損益試算システム。
【請求項２】
前記電力使用パターンクラス生成処理部は、複数のクラスタ数候補の夫々に対し、各ロードデータ列の特徴をクラスタ群に分類し、前記クラスタ群を評価し、前記複数のクラスタ数候補の夫々の評価の結果に基づいて、前記複数のクラスタ数候補の中から最適クラスタ数を決定し、前記最適クラスタ数に対応するクラスタ群に基づいて、最適クラスタ数の電力使用パターンクラスを生成する、
請求項１に記載の電力事業損益試算システム。
【請求項３】
前記電力使用パターンクラス生成処理部は、各ロードデータ列の特徴を複数のクラスタに分類し、前記複数のクラスタの夫々の中心に基づいて前記代表ロードデータ列を算出する、
請求項１に記載の電力事業損益試算システム。
【請求項４】
加入条件追加処理部を更に備え、
各電力使用パターンクラスは、需要家の誘導先であるか否かを示す誘導対象データを含み、
各料金メニュークラスは、前記料金メニュークラスを契約できる属性の条件である加入条件を含み、
前記加入条件追加処理部は、誘導先である誘導対象電力使用パターンクラスと誘導先でない誘導対象外電力使用パターンクラスとに関連付けられた需要家クラスを、分割需要家クラスとして特定し、前記分割需要家クラスに関連付けられた需要家の需要家属性データに基づいて、前記誘導対象電力使用パターンクラスに関連付けられる需要家の需要家属性データの条件を抽出条件として抽出し、前記分割需要家クラスの標準属性データに一致する加入条件を含む料金メニュークラスを特定し、前記特定された料金メニュークラスの加入条件に、前記抽出条件を追加する、
請求項１に記載の電力事業損益試算システム。
【請求項５】
複数の需要家の夫々に関連付けられた電力使用パターンクラスに基づいて前記電力事業の総支出を試算する総支出試算部と、需要家応答推定処理部と、販売収入試算処理部とを更に備え、
前記需要家応答推定処理部は、複数の料金メニュークラスの中の特定料金メニュークラスの料金単価を変化させることにより複数の料金単価候補を生成し、
前記販売収入試算処理部は、各料金単価候補を用いて、複数の需要家に対する電力事業の総収入を試算し、
前記利益試算部は、前記総収入から前記総支出を減ずることにより前記電力事業の総利益を試算することで、前記複数の料金単価候補に夫々対応する複数の総利益を試算し、
前記利益試算部は、前記複数の料金単価候補の中から、前記複数の総利益の中の最大値に対応する料金単価候補を選択する、
請求項１に記載の電力事業損益試算システム。
【請求項６】
前記選択された料金単価候補と、前記試算された複数の総利益と、前記複数の総利益の中の最大値と、の少なくとも何れかを表示させる表示デバイスをさらに備える、
請求項５に記載の電力事業損益試算システム。
【請求項７】
複数の需要家の夫々に関連付けられた電力使用パターンクラスに基づいて、電力販売計画を生成し、前記電力販売計画に基づいて、発電設備の発電運用計画を生成し、前記電力販売計画及び前記発電運用計画に基づいて、余剰電力又は不足電力の電力売買計画を生成し、前記発電運用計画及び前記電力売買計画に基づいて、電力事業の支出を試算する、総支出試算部を更に備える、
請求項１に記載の電力事業損益試算システム。
【請求項８】
前記複数の電力使用パターンクラスの数と、前記複数の電力使用パターンクラスの中の特定電力使用パターンクラスの代表ロードデータ列と、前記特定電力使用パターンクラスに関連付けられた需要家のリストと、前記特定電力使用パターンクラスに関連付けられた需要家の数との少なくとも何れかを表示させる表示デバイスをさらに備える、
請求項１に記載の電力事業損益試算システム。
【請求項９】
前記標準属性データは、複数の属性項目を含み、
前記需要家クラスカスタマイズ処理部は、前記分割需要家クラスの標準属性データに対応する需要家を対象需要家として選択し、前記分割需要家クラスの標準属性データと、対象需要家の需要家属性データとに基づいて、前記複数の属性項目の何れかをノードとする決定木を生成し、前記決定木に基づいて、前記抽出条件を抽出する、
請求項４に記載の電力事業損益試算システム。
【請求項１０】
記憶部と、
前記記憶部に接続される利益試算部と、
需要家応答モデル作成処理部と、
需要家応答推定処理部と、
販売収入試算処理部と、
を備え、
前記記憶部は、需要家クラスのデータを記憶し、
前記記憶部は、前記需要家クラスを代表するロードカーブを含み、
前記記憶部は、電力使用の料金単価を含み、
前記利益試算部は、前記ロードカーブと前記料金単価に基づいて電力事業の利益を試算し、
前記需要家応答モデル作成処理部は、各料金メニュークラスに対し、前記料金メニュークラスの変更に基づき契約者が享受するメリット量の履歴と、前記料金メニュークラスの変更に基づく契約者数の履歴とを記憶し、
前記需要家応答モデル作成処理部は、各需要家クラスに対し、メリット量を入力して契約者数を出力するシステムモデルを同定し、
前記需要家応答推定処理部は、複数の料金メニュークラスの中の特定料金メニュークラスに対し、前記特定料金メニュークラスの料金単価の変更の候補である料金単価候補を設定し、
前記需要家応答推定処理部は、各料金メニュークラスに対し、前記特定料金メニュークラスの変更後のメリット量を算出し、前記算出されたメリット量と各需要家クラスのシステムモデルとに基づいて、各需要家クラスの属性に対応する需要家のうち、前記特定料金メニュークラスの変更後の各料金メニュークラスの契約者数を推定し、
前記販売収入試算処理部は、前記推定された契約者数を用いて複数の需要家に対する電力事業の総収入を試算する、
電力事業損益試算システム。
【請求項１１】
前記属性は、需要家の受電電圧の種別と、前記需要家の保有設備の種別と、前記需要家の建物の種別と、前記電力事業のアライアンス先における前記需要家の契約の種別と、前記需要家の建物の床面積との、少なくとも何れかを含む、
請求項１０に記載の電力事業損益試算システム。
【請求項１２】
記憶部と、
前記記憶部に接続される利益試算部と、
需要家応答推定処理部と、
販売収入試算処理部とを、
を備え、
前記記憶部は、需要家クラスのデータを記憶し、
前記記憶部は、前記需要家クラスを代表するロードカーブを含み、
前記記憶部は、電力使用の料金単価を含み、
前記利益試算部は、前記ロードカーブと前記料金単価に基づいて電力事業の利益を試算し、
前記需要家応答推定処理部は、複数の料金メニュークラスの中の特定料金メニュークラスの料金単価の変更の候補である料金単価候補を設定し、
前記需要家応答推定処理部は、各需要家クラスに対し、前記特定料金メニュークラスの変更後の各料金メニュークラスの契約者数を推定し、
前記販売収入試算処理部は、前記変更後の特定料金メニュークラスと、各需要家クラスに対応する標準ロードデータ列と、前記推定された契約者数と、に基づいて、複数の需要家に対する電力事業の総収入を算出する、
電力事業損益試算システム。
【請求項１３】
需要家クラスカスタマイズ処理部を更に備え、
前需要家クラスカスタマイズ処理部は、各需要家クラスのロードカーブを入力するための画面を表示デバイスに表示させ、入力されたロードカーブに基づいて、前記需要家クラスを代表するロードカーブを表す標準ロードデータ列を生成し、前記需要家クラスに含める、
請求項１、１０および１２のいずれか１項に記載の電力事業損益試算システム。
【発明の詳細な説明】
【技術分野】
【０００１】
本発明は、電力事業損益試算システムに関する。
【背景技術】
【０００２】
電力事業の遂行にあたっては、事業を行う期間での電力事業損益を試算することが必要である。電力事業の損益は、需要家と契約する料金と、販売する電力量との影響を受けるため、これらの要因を用いた収益試算が必要となる。
【０００３】
例えば、特許文献１には、モンテカルロシミュレーションにより事業収益を試算するために、シミュレーション対象期間の全体の需要についての想定需要データを用いて、損益計算の各時点で予め設定した比率で按分した各需要家の使用電力量から電力料金収入を計算する電気事業損益分析システムが開示されている。
【先行技術文献】
【特許文献】
【０００４】
【特許文献１】特開２００８−０５９１２５号公報
【発明の概要】
【発明が解決しようとする課題】
【０００５】
ところが特許文献１に開示の電気事業損益分析システムでは、各時点での需要家の使用電力量をテーブルに記録されたデータから発生させるが、実際の需要家の電力の使用は、保有する電力設備に依存した固有のパターンの影響や、電力料金の単価が変わることの影響や、電気使用の周期性があるときには直前やその前の時刻での電力使用量の影響を受ける。このように、需要家の実情に応じた電力の使用量を推定できないため、正しい電力事業の損益試算ができないという問題がある。
【課題を解決するための手段】
【０００６】
上記課題を解決するために、本発明の一態様である電力事業損益試算システムは、記憶部と、前記記憶部に接続される総収入試算部と、を備える。前記記憶部は、複数の需要家の夫々の電力使用の属性である需要家属性データを記憶し、前記記憶部は、前記複数の需要家の夫々に対し計測された電力使用量の変動を表すロードデータ列を記憶し、前記記憶部は、複数の需要家クラスを記憶し、各需要家クラスは、前記需要家クラスの属性である標準属性データと、前記需要家クラスを代表するロードカーブを表す標準ロードデータ列とを含み、前記記憶部は、複数の料金メニュークラスを記憶し、各料金メニュークラスは、前記料金メニュークラスを契約中の需要家の電力使用の料金単価と、前記料金メニュークラスを契約中の需要家である契約者を示す契約者データとを含み、前記総収入試算部は、前記複数の需要家クラスと、前記複数の料金メニュークラスとに基づいて、前記複数の需要家に対する電力事業の総収入を試算する。
【発明の効果】
【０００７】
本発明によれば、電力事業について実情に合致した信頼性の高い収益試算を行うことができる。
【図面の簡単な説明】
【０００８】
【図１】電力事業損益試算システムの全体構成図である。
【図２】総収入試算装置の概略構成を示すブロック図である。
【図３】総支出試算装置の概略構成を示すブロック図である。
【図４】電力事業損益試算システムにおいて実行される一連の処理の流れを示すブロック図である。
【図５】電力使用パターンクラスの概略構成を示す概念図である。
【図６】需要家クラスの概略構成を示す概念図である。
【図７】料金メニュークラスの概略構成を示す概念図である。
【図８】電力使用パターンクラス生成処理の処理手順を示すフローチャートである。
【図９】クラスタリング処理の処理手順を示すフローチャートである。
【図１０】クラスタ数妥当性評価値算出処理の処理手順を示すフローチャートである。
【図１１】最適クラスタ数決定処理の処理手順を示すフローチャートである。
【図１２】最適クラスタ数決定処理の説明に供する特性曲線図である。
【図１３】クラスタ数と代表ロードデータ列の精度との関係を示す。
【図１４】需要家クラスの登録画面である。
【図１５】登録された需要家クラスを示す概念図である。
【図１６】初期標準ロードカーブを示す。
【図１７】需要家クラスカスタマイズ処理の処理手順を示すフローチャートである。
【図１８】診断決定木生成処理の処理手順を示すフローチャートである。
【図１９】分類属性抽出処理の処理手順を示すフローチャートである。
【図２０】分類属性抽出処理の説明に供する概念図である。
【図２１】標準ロードカーブ更新処理の処理手順を示すフローチャートである。
【図２２】加入条件追加処理の処理手順を示すフローチャートである。
【図２３】需要家応答モデル作成処理の処理手順を示すフローチャートである。
【図２４】需要家応答モデル作成処理の説明に供する概念図である。
【図２５】需要家応答推定処理の処理手順を示すフローチャートである。
【図２６】販売収入試算処理の処理手順を示すフローチャートである。
【図２７】調達コスト試算処理の処理手順を示すフローチャートである。
【図２８】料金メニュー最適化処理の処理手順を示すフローチャートである。
【図２９】料金メニュー最適化処理の説明に供する概念図である。
【発明を実施するための形態】
【０００９】
以下図面について、本発明の一実施の形態を詳述する。
【００１０】
（１）全体構成
図１に、本実施の形態における電力事業損益試算システム１の全体構成を示す。電力事業損益試算システム１は、発電事業者２の発電情報管理装置２０と、送配電事業者３のメータデータ管理装置３０と、取引市場運用者４の取引情報管理装置４０と、小売事業者５の総収入試算装置５０、総支出試算装置５１、情報入出力端末５２、顧客料金管理装置５３、及び需要家向け情報提供装置５４と、アライアンス先６のサービス情報管理装置６０と、需要家７の設備制御端末７０、及び情報入出力端末７１とがネットワーク８を介して接続されることにより構成される。小売事業者５の総収入試算装置５０、総支出試算装置５１、情報入出力端末５２、顧客料金管理装置５３、及び需要家向け情報提供装置５４は、ネットワーク５５を介してネットワーク８に接続されている。
【００１１】
需要家７の設備制御端末７０は、例えばスマートメータ（小売事業者５のための電力量計や、需要家７が独自に設置した電力量計等）を含む。設備制御端末７０は、需要家７の電力使用量の変動を計測して得られるメータデータを送配電事業者３のメータデータ管理装置３０に送信する。メータデータは、予め設定されたサンプリング周期毎のサンプルを含む。サンプリング周期は例えば３０分である。サンプルは、電力使用量の積算値であってもよいし、サンプリング周期毎の積算値の差分であってもよい。また、サンプルは、一つのサンプリング周期内に需要家に使用された電力量であってもよいし、一つのサンプリング周期内の平均電力であってもよい。また各需要家７の情報入出力端末７１は、例えばブラウザが実装されたパーソナルコンピュータであり、処理デバイスと通信デバイスと入力デバイスと表示デバイスとを含む。この情報入出力端末７１は、需要家７が小売事業者５の需要家向け情報提供装置５４にアクセスするために利用される。
【００１２】
送配電事業者３のメータデータ管理装置３０は、各需要家７の設備制御端末７０からそれぞれ送信されるメータデータを蓄積及び管理する機能を有するサーバ装置である。そしてメータデータ管理装置３０は、蓄積した各需要家７のメータデータを定期的に小売事業者５の総収入試算装置５０に送信する。
【００１３】
取引市場運用者４の取引情報管理装置４０は、市場で取引される各電力商品の約定価格や約定量などの情報を配信し、各事業者から受け付けた注文の付け合せ処理を行う機能を有するサーバ装置である。
【００１４】
小売事業者５の総収入試算装置５０は、メータデータ管理装置３０から受信した各需要家のメータデータから、予め設定された計測期間のデータ列であるロードデータ列を抽出し、ロードデータ列に基づいて需要家を分類し、小売事業者５の販売収入を試算する機能を有するコンピュータ装置である。なお、メータデータは、メータデータ管理装置３０以外の装置に格納されて総収入試算装置５０により取得されてもよい。総支出試算装置５１は、小売事業者５の調達コストを試算する機能を有するコンピュータ装置である。また小売事業者５の情報入出力端末５２は、例えばパーソナルコンピュータであり、処理デバイスと通信デバイスと入力デバイスと表示デバイスとを含む。この情報入出力端末５２は、小売事業者５が販売収入や調達コストの試算に必要な情報を入力する際や、試算結果を確認する際などに利用される。
【００１５】
小売事業者５の顧客料金管理装置５３は、各需要家７の料金計算や料金請求を行う機能を有するサーバ装置である。顧客料金管理装置５３は更に、各需要家の属性を示す需要家属性データを格納する。属性は、受電電圧等、電力販売の契約に必要な契約情報を含む。属性は更に、アライアンス先契約等、契約情報以外の情報を含んでもよい。顧客料金管理装置５３は更に、各需要家が契約している料金メニュークラスを示す需要家契約データを格納する。顧客料金管理装置５３は更に、需要家が料金メニュークラスの契約により享受するメリット量の履歴データと、各料金メニュークラスの契約者数の履歴データとを格納する。メリット量は例えば、対応する料金メニュークラスによる料金の割引率である。顧客料金管理装置５３は更に、需要家を識別する需要家ＩＤ毎に、当該需要家の電力使用量を計測するスマートメータを識別するメータＩＤを示すメータ識別データを格納する。或る需要家に対して、小売事業者５により設置された電力量計と、当該需要家により設置された電力量計とのように、複数のスマートメータが設置されている場合、メータ識別データは、当該需要家の需要家ＩＤに対して複数のメータＩＤを関連付ける。なお、需要家属性データと、メリット量の履歴データと、契約者数の履歴データと、メータ識別データとは、総収入試算装置５０に格納されてもよいし、他の装置に格納されて総収入試算装置５０により取得されてもよい。
【００１６】
また小売事業者５の需要家向け情報提供装置５４は、汎用のサーバ装置を含み、需要家７への新規料金メニューの提案などに利用される。
【００１７】
アライアンス先６のサービス情報管理装置６０は、アライアンス先６のサービス内容やサービス価格に関する情報を配信する機能を有するサーバ装置である。
【００１８】
（２）内部構成
図２に、小売事業者５の総収入試算装置５０の概略構成を示す。図２に示すように、総収入試算装置５０は、内部バス５０００を介して相互に接続されたＣＰＵ５００１、メモリ５００２、記憶部５００６、通信部５０１０を含む。
【００１９】
ＣＰＵ５００１は、総収入試算装置５０の動作制御を司るプロセッサである。またメモリ５００２は、主として各種プログラムやデータを一時的に記憶するために利用される。後述する電力使用パターン管理部５００３、契約者情報管理部５００４、及び料金メニュー管理部５００５もこのメモリ５００２に格納されて保持される。
【００２０】
記憶部５００６は、例えばハードディスク装置を含み、プログラムやデータを長期間保持するために利用される。後述する電力使用パターンクラス記憶部５００７、需要家クラス記憶部５００８、及び料金メニュークラス記憶部５００９は、この記憶部５００６に格納されて保持される。なお、記憶部５００６は、メータデータ管理装置３０、顧客料金管理装置５３、総支出試算装置５１、情報入出力端末５２等から受信したデータを記憶してもよい。
【００２１】
通信部５０１０は、ネットワーク５５を介した総支出試算装置５１、情報入出力端末５２、顧客料金管理装置５３、及び需要家向け情報提供装置５４との通信時におけるプロトコル制御を行う。
【００２２】
なお、小売事業者５の複数の装置の何れかが一つの装置であってもよい。小売事業者５の装置の中の機能が別の装置に含まれていてもよい。また、小売事業者５が、発電事業者２と送配電事業者３の何れかを含んでいてもよい。
【００２３】
図３に、小売事業者５の総支出試算装置５１の概略構成を示す。図３に示すように、総支出試算装置５１は、内部バス５１００を介して相互に接続されたＣＰＵ５１０１、メモリ５１０２、記憶部５１０４、通信部５１０８を含む。
【００２４】
ＣＰＵ５１０１は、総支出試算装置５１の動作制御を司るプロセッサである。またメモリ５１０２は、主として各種プログラムやデータを一時的に記憶するために利用される。後述する原価情報管理部５１０３もこのメモリ５１０２に格納されて保持される。
【００２５】
記憶部５１０４は、例えばハードディスク装置を含み、プログラムやデータを長期間保持するために利用される。後述する発電情報記憶部５１０５、取引情報記憶部５１０６、及びサービス情報記憶部５１０７は、この記憶部５１０４に格納されて保持される。
【００２６】
通信部５１０８は、ネットワーク５５を介した総収入試算装置５０、情報入出力端末５２、顧客料金管理装置５３、及び需要家向け情報提供装置５４との通信時におけるプロトコル制御を行う。
【００２７】
（３）本電力事業損益試算システムにおける処理の流れ
続いて図４を参照して、本実施の形態における電力事業損益試算システム１における処理の流れを説明する。
【００２８】
電力使用パターン管理部５００３は、電力使用パターンクラス生成処理５０１１、及び電力使用パターンクラス記憶部５００７を含む。契約者情報管理部５００４は、需要家クラスカスタマイズ処理５０１２、需要家クラス記憶部５００８、需要家応答モデル作成処理５０１３、及び需要家応答推定処理５０１４を含む。料金メニュー管理部５００５は、加入条件追加処理５０１５、料金メニュークラス記憶部５００９、販売収入試算処理５０１６、及び料金メニュー最適化処理５０１７を含む。原価情報管理部５１０３は、発電情報記憶部５１０５、取引情報記憶部５１０６、サービス情報記憶部５１０７、及び調達コスト試算処理５１０８を含む。電力使用パターンクラス記憶部５００７は、電力使用パターンクラステーブル５００７Ａを格納する。需要家クラス記憶部５００８は、需要家クラステーブル５００８Ａを格納する。料金メニュークラス記憶部５００９は、料金メニュークラステーブル５００９Ａを格納する。発電情報記憶部５１０５は、発電情報５１０５Ａを格納する。取引情報記憶部５１０６は、取引情報５１０６Ａを格納する。サービス情報記憶部５１０７は、サービス情報５１０７Ａを格納する。
【００２９】
電力使用パターンクラス生成処理５０１１は、メータデータ管理装置３０から受信した各需要家７のメータデータに基づいて、電力使用パターンクラステーブル５００７Ａを生成する。電力使用パターンクラステーブル５００７Ａは、電力使用パターンクラスを識別する電力使用パターンクラスＩＤ、対応する電力使用パターンクラスに関する情報項目名、対応する電力使用パターンクラスに関する情報項目の値を含む。
【００３０】
需要家クラスカスタマイズ処理５０１２は、顧客料金管理装置５３から受信した需要家属性データに基づき需要家クラステーブル５００８Ａを生成し、需要家属性データと電力使用パターンクラステーブル５００７Ａに基づいて需要家クラステーブル５００８Ａを補正する。需要家クラステーブル５００８Ａは、需要家クラスを識別する需要家クラスＩＤ、対応する需要家クラスに関する情報項目名、対応する需要家クラスに関する情報項目の値を含む。
【００３１】
需要家応答モデル作成処理５０１３は、顧客料金管理装置５３から受信した履歴データと電力使用パターンクラステーブル５００７Ａと需要家クラステーブル５００８Ａと料金メニュークラステーブル５００９Ａに基づいて、料金メニューの改定により需要家７に付与されるメリット量に対する応答契約者数を推定するための需要家応答モデルを生成する。
【００３２】
需要家応答推定処理５０１４は、需要家応答モデル作成処理５０１３で作成した需要家応答モデルと料金メニュークラステーブル５００９Ａに基づいて、料金メニューの改定により需要家７に付与されるメリット量に対する応答契約者数を推定する。
【００３３】
加入条件追加処理５０１５は、需要家クラステーブル５００８Ａに基づいて、小売事業者５が予め設定した料金メニュークラステーブル５００９Ａに、料金メニュー改定により誘導する需要家を限定するような加入条件を追加する。
【００３４】
販売収入試算処理５０１６は、需要家応答推定処理５０１４で推定された応答契約者数と料金メニュークラステーブル５００９Ａに基づいて、小売事業者５の総収入を試算する。
【００３５】
調達コスト試算処理５１０８は、発電情報５１０５Ａ、取引情報５１０６Ａ、及びサービス情報５１０７Ａに基づいて、小売事業者５の総支出を試算する。
【００３６】
料金メニュー最適化処理５０１７は、販売収入試算処理５０１６で試算した総収入と、調達コスト試算処理５１０８で試算した総支出に基づいて、小売事業者５の利益最大化に資する適切な料金メニューを決定する。料金メニュー最適化処理５０１７は、決定された料金メニューを情報入出力端末５２へ出力する。
【００３７】
（４）各データベースの詳細
図５は、電力使用パターンクラステーブル５００７Ａの概念図を示す。電力使用パターンクラステーブル５００７Ａは、電力使用パターンクラス生成処理５０１１によって作成される情報である。電力使用パターンクラステーブル５００７Ａは、電力使用パターンクラスを管理するために利用されるテーブルである。各電力使用パターンクラスは、需要家のロードデータ列の特徴に基づいて分類されたクラスタに対応する。
【００３８】
具体的に電力使用パターンクラステーブル５００７Ａは、電力使用パターンクラス毎のエントリを有する。一つの電力使用パターンクラスのエントリは、電力使用パターンクラスＩＤ欄５００７Ａ１、項目欄５００７Ａ２、値欄５００７Ａ３を含む。
【００３９】
電力使用パターンクラスＩＤ欄５００７Ａ１には、電力使用パターンクラスの識別番号である電力使用パターンクラスＩＤが格納される。項目欄５００７Ａ２には、対応する電力使用パターンクラスに関する各情報の項目名（「代表ロードデータ列」、「クラスタ需要家数」、「クラスタ需要家ＩＤリスト」、「電力使用パターンクラスの誘導対象区分」）が格納される。値欄５００７Ａ３には、対応する電力使用パターンクラスに関する各情報の項目の値が格納される。
【００４０】
代表ロードデータ列は、電力使用パターンクラスを代表するロードカーブである代表ロードカーブを表すデータ列である。クラスタ需要家数は、当該電力使用パターンクラスに属する需要家の数である。クラスタ需要家ＩＤリスト（関連付けデータ）は、当該電力使用パターンクラスに属する需要家の需要家ＩＤの集合である。
【００４１】
図５の例において、電力使用パターンクラスＩＤとして「１」が付与された電力使用パターンクラスについては、代表ロードデータ列が「｛１５０ｋＷ、１２０ｋＷ、…、１３０ｋＷ｝」、クラスタ需要家数が「２００」、クラスタ需要家ＩＤリストが「１、６、…、１２５４」、誘導対象区分が「誘導対象」であることが示されている。代表ロードデータ列は、ロードデータ列と同様、サンプリング周期毎のサンプルを有し計測期間の長さを有するデータ列である。
【００４２】
図６は、需要家クラステーブル５００８Ａの概念図を示す。需要家クラステーブル５００８Ａは、需要家属性データによる需要家の分類を表す需要家クラスを管理するために利用されるテーブルである。
【００４３】
具体的に需要家クラステーブル５００８Ａは、需要家クラス毎のエントリを有する。一つの需要家クラスのエントリは、需要家クラスＩＤ欄５００８Ａ１、項目欄５００８Ａ２、値欄５００８Ａ３を含む。
【００４４】
需要家クラスＩＤ欄５００８Ａ１には、需要家クラスの識別番号である需要家クラスＩＤが格納される。項目欄５００８Ａ２には、対応する需要家クラスに関する各情報の項目名（「標準ロードデータ列」、「電力使用パターンクラスＩＤリスト」、「サンプル需要家数」、「サンプル需要家ＩＤリスト」、「属性情報」、及び「加入可能料金メニュークラスＩＤリスト」）が格納される。標準ロードデータ列は、対応する需要家クラスを代表するロードカーブである標準ロードカーブを表すデータ列である。電力使用パターンクラスＩＤリストは、当該需要家クラスに含まれる需要家を含む電力使用パターンクラスを示す。サンプル需要家数は、当該需要家クラスに含まれる需要家の数である。サンプル需要家ＩＤリストは、当該需要家クラスに含まれる需要家の需要家ＩＤの集合である。属性情報（標準属性データ）は、少なくとも一つの属性項目と、その属性項目の値である属性値とを含む。属性情報は、当該需要クラスに属する需要家の需要家属性データに共通する属性値である。属性項目は例えば、「受電電圧」、「保有設備」、「建物種別」、及び「アライアンス先契約」を含む。加入可能料金メニュークラスＩＤリストは、当該需要家クラスの属性情報を持つ需要家が加入できる料金メニュークラスの料金メニュークラスＩＤを示す。値欄５００８Ａ３には、対応する需要家クラスに関する各情報の項目の値が格納される。属性項目に対応する値欄５００８Ａ３には、属性値が格納される。
【００４５】
図６の例において、需要家クラスＩＤとして「１」が付与された需要家クラスについては、標準データ列が「｛１３０ｋＷ、１４０ｋＷ、…、１３０ｋＷ｝」、電力使用パターンクラスＩＤリストが「｛１、３、４｝」、サンプル需要家数が「１９０」、サンプル需要家ＩＤリストが「１、５、…、１２８６」であることが示されている。標準データ列は、ロードデータ列と同様、サンプリング周期毎のサンプルを有し計測期間の長さを有するデータ列である。また、当該需要家クラスの属性情報として、受電電圧が「高圧」、保有設備が「夜間蓄熱式機器」、建物種別が「工場」、アライアンス先契約が「Ｂプラン」であることが示されている。なお、需要家クラスの属性情報は、上記に限定されるものではなく、属性項目として床面積や建物内人口などの情報を含んでも良い。また、当該需要家クラスの属性情報を持つ需要家が加入可能な料金メニューとして、加入可能料金メニュークラスＩＤリストが「｛１、２、７｝」であることが示されている。
【００４６】
属性情報が契約に関する情報を含むことにより、契約に基づいて需要家属性データを作成することができ、需要家属性データから属性情報を抽出することができる。
【００４７】
図７は、料金メニュークラステーブル５００９Ａの概念図を示す。料金メニュークラステーブル５００９Ａは、需要家７が加入する料金メニュークラスを管理するために利用されるテーブルである。
【００４８】
具体的に料金メニュークラステーブル５００９Ａは、料金メニュークラス毎のエントリを有する。一つの料金メニュークラスのエントリは、料金メニュークラスＩＤ欄５００９Ａ１、項目欄５００９Ａ２、値欄５００９Ａ３を含む。
【００４９】
料金メニュークラスＩＤ欄５００９Ａ１には、料金メニュークラスの識別番号である料金メニュークラスＩＤが格納される。項目欄５００９Ａ２には、対応する料金メニュークラスに関する各情報の項目名（「料金メニュー契約者数」、「料金メニュー契約者ＩＤ」、「料金単価」、及び「加入条件」）が格納される。料金単価は、季節や時刻で分類された時間帯毎の、料金単価である。加入条件は、需要家クラスの属性情報と同様の属性項目を含む。値欄５００９Ａ３には、対応する料金メニュークラスに関する各情報の項目の値が格納される。料金単価に対応する値欄５００９Ａ３には、時間帯毎の値が格納される。加入条件に対応する値欄５００９Ａ３には、属性項目毎の値が格納される。なお、料金メニュー契約者数や料金メニュー契約者ＩＤの代わりに、当該料金メニュークラスの契約者を示す他の契約者データが用いられてもよい。
【００５０】
図７の例において、料金メニュークラスＩＤとして「１」が付与された料金メニュークラスについては、その料金メニュー契約者数が「２００」、これら契約者のＩＤは「４、６、…、１１６３」であることが示されている。また、料金単価は８時〜２２時（夏季）で「１９円／ｋＷｈ」、８時〜２２時（他季）で「１７円／ｋＷｈ」、２２時〜８時で「１２円／ｋＷｈ」であることが示されている。また、料金メニュークラスへの加入条件として、受電電圧が「高圧」、保有設備が「夜間蓄熱式機器」、建物種別が「ビル」であることが示されている。なお、料金メニュークラスへの加入条件は、上記に限定されるものではなく、加入条件追加処理５０１５により逐次的に更新される。
【００５１】
また、料金メニュー契約者数と料金メニュー契約者ＩＤは、顧客料金管理装置５３の需要家契約データに基づいて、加入条件追加処理５０１５により逐次的に更新される。
【００５２】
料金メニュークラスが属性情報に基づく加入条件を含むことにより、属性情報に基づいて需要家を特定の料金メニュークラスへ誘導することができる。
【００５３】
（５）各処理フローの詳細
図８以降の図を用いて、電力事業損益試算システム１における実際の処理手順を示す。総収入試算装置５０における、電力使用パターン管理部５００３、契約者情報管理部５００４、及び料金メニュー管理部５００５の各処理は、メモリ５００２に格納されるプログラムであり、ＣＰＵ５００１により実行される。以後、総収入試算装置５０のＣＰＵ５００１による各処理の動作を、各処理を主体として説明する。総支出試算装置５１における原価情報管理部５１０３の各処理は、メモリ５１０２に格納されるプログラムであり、ＣＰＵ５１０１による実行される。以後、総支出試算装置５１のＣＰＵ５１０１による各処理の動作を、各処理を主体として説明する。
【００５４】
（５−１）電力使用パターンクラス生成処理
電力使用パターンクラス生成処理５０１１は、各需要家７のロードデータ列を、概形が類似しているクラスタ毎に分類し、各クラスタの代表ロードカーブを表す代表ロードデータ列を算出する処理である。
【００５５】
本処理の一例を、図８のフローチャートを用いて説明する。
【００５６】
まず、ステップＳ１０にて電力使用パターンクラス生成処理５０１１は、送配電事業者３のメータデータ管理装置３０から、メータ識別データに基づいて各需要家７の需要家ＩＤに関連付けられたメータＩＤのメータデータを取得し、取得されたメータデータに基づいて、当該需要家ＩＤに対応するロードデータ列を算出すると、この図８に示す処理を開始する。まず、電力使用パターンクラス生成処理５０１１は、このとき取得したＭ（Ｍは需要家７の数）個のロードデータ列をＫ（Ｋ＝１〜Ｍ）個のクラスタにそれぞれ分類した場合の、各クラスタのクラスタ中心の集合であるクラスタ中心集合｛Ｃｋ：ｋ=１, ２, …, Ｋ｝を求める、クラスタリング処理を実行する。具体的には、電力使用パターンクラス生成処理５０１１は、k-means法により、全需要家のロードデータ列を１個のクラスタに分類した場合のそのクラスタのクラスタ中心集合｛Ｃ１｝、かかるロードデータ列を２個のクラスタに分類した場合の各クラスタのクラスタ中心集合｛Ｃ１, Ｃ２｝、かかるロードデータ列を３個のクラスタに分類した場合の各クラスタのクラスタ中心集合｛Ｃ１, Ｃ２, Ｃ３｝、…のように、クラスタ数Ｋを順次１個からＭ個まで変化させながら、Ｍ個のロードデータ列をＫ個のクラスタに振り分け、Ｋに対応するクラスタ中心集合｛Ｃｋ｝を求める。
【００５７】
次いで、ステップＳ１１にて電力使用パターンクラス生成処理５０１１は、上述のステップＳ１０の処理結果に基づいて、クラスタ数Ｋをいずれにするのが妥当かを評価するための値（以下、これを妥当性評価値と呼ぶ）を算出するクラスタ数妥当性評価値算出処理を実行する。本実施の形態の場合、電力使用パターンクラス生成処理５０１１は、かかる妥当性評価値として、個々のクラスタ内におけるロードデータ列のまとまり度合いを表すクラスタ内適合度と、クラスタ同士の分離の度合いを表すクラスタ間平均分離度とを算出する。
【００５８】
最後に、ステップＳ１２にて電力使用パターンクラス生成処理５０１１は、ステップＳ１１で算出したクラスタ内適合度及びクラスタ間平均分離度に基づいて、最適なクラスタ数を決定する、最適クラスタ数決定処理を実行する。
【００５９】
以上の処理により、各需要家７のロードデータ列が適切な数のクラスタに分類される。
【００６０】
（５−１−１）クラスタリング処理
図９は、上述した電力使用パターンクラス生成処理５０１１のステップＳ１０において実行されるクラスタリング処理の具体的な処理内容を示す。
【００６１】
まず、電力使用パターンクラス生成処理５０１１は、クラスタ数（電力使用パターンクラス数）Ｋを１〜Ｍのうちいずれか１つと仮定し（Ｓ１０１）、そのときのクラスタ中心集合｛Ｃｋ：ｋ＝１, ２, …, Ｋ｝の初期値をそれぞれ設定する（Ｓ１０２）。この初期値は、どのような値でも良く、例えば、以前のクラスタリング処理の実行結果を適用することができる。
【００６２】
次いで、電力使用パターンクラス生成処理５０１１は、各需要家ｉ｛ｉ＝１, ２, …, Ｍ｝の予め設定された計測期間分のメータデータを取得し、取得されたメータデータを正規化することでロードデータ列を算出する。なお、ロードデータ列の代わりに、計測期間分のメータデータや、計測期間より短い期間に分割されたロードデータ列等、他のロードデータ列が用いられてもよい。そして、電力使用パターンクラス生成処理５０１１は、ロードデータ列の特徴量Ｓｉ｛ｓｉ,１, ｓｉ,２, …, ｓｉ,ｔ｝を算出する（Ｓ１０３）。計測期間は例えば１年である。本実施の形態において電力使用パターンクラス生成処理５０１１は、ロードデータ列の平均が０になり、且つロードデータ列の標準偏差が０になるように、正規化することでロードデータ列を算出する。電力使用パターンクラス生成処理５０１１は、正規化されたロードデータ列を算出することにより、メータデータの大きさの影響を受けずに、概形が類似するロードデータ列をクラスタとして集めることができる。ロードデータ列は、多くの周期の成分を含む。各成分は、時間、日、週、年等の周期を持つ。また、本実施の形態において電力使用パターンクラス生成処理５０１１は、ロードデータ列の周期性を用いてクラスタリングするために、各需要家ｉのロードデータ列をそれぞれ離散フーリエ変換した結果を、その需要家ｉの特徴量Ｓｉとする。また、上述の特徴量Ｓｉは各需要家ｉのロードデータ列の特徴を示す情報であれば離散フーリエ変換した結果以外の情報でも良く、ロードデータ列の時系列データそのものでも良いし、ロードデータ列の平均値と最大値と最小値の組み合わせなどのロードデータ列の統計情報でも良い。この例において、クラスタｋは、特徴量の集合であり、クラスタ中心Ｃｋは、クラスタｋを代表する特徴量である。
【００６３】
次いで、電力使用パターンクラス生成処理５０１１は、全需要家の中から未処理の一人の需要家ｉを選択する（Ｓ１０４）。そして、電力使用パターンクラス生成処理５０１１は、その需要家ｉについて、各クラスタ中心と、ステップＳ１０３で取得したその需要家ｉの特徴量Ｓｉとの間のユークリッド距離を算出する。そして、電力使用パターンクラス生成処理５０１１は、需要家ｉの特徴量Ｓｉに対して、最も近傍のクラスタｋ（特徴量Ｓｉからのユークリッド距離が最小であるクラスタ中心Ｃｋを持つクラスタｋ）を特定し、クラスタｋに対応するクラスタ需要家ＩＤリストＸｋに、需要家ｉの需要家ＩＤを登録する（Ｓ１０５）。
【００６４】
次いで、電力使用パターンクラス生成処理５０１１は、すべての需要家ｉについてステップＳ１０５の処理を実行し終えたか否かを判定し（Ｓ１０６）、否定結果を得るとステップＳ１０４に戻る。そして、この後、電力使用パターンクラス生成処理５０１１は、ステップＳ１０４において選択する需要家ｉを未処理の他の需要家ｉに順次切り替えながら、ステップＳ１０４〜ステップＳ１０６の処理を繰り返す。以後、Ｋ個のクラスタにそれぞれ対応するＫ個のクラスタ需要家ＩＤリストＸｋの集合を、クラスタ需要家ＩＤリスト集合｛Ｘｋ｝と呼ぶ。
【００６５】
そして、電力使用パターンクラス生成処理５０１１は、全需要家をクラスタ需要家ＩＤリスト集合｛Ｘｋ｝に振り分け終えると（Ｓ１０６：ＹＥＳ）、各クラスタｋに対し、クラスタ需要家リストＸｋに示された需要家ｉの特徴量の平均値である平均特徴量Ｓｋ＿ａｖｅ＝｛Σｉ ｓｊ，１／Ｍ，Σｉ ｓｉ，２／Ｍ，Σｉ ｓｉ，３／Ｍ，…｝（但しｉ∈Ｘｋ）を算出し、平均特徴量Ｓｋ＿ａｖｅをクラスタ中心Ｃｋとして更新する（Ｓ１０７）。
【００６６】
この後、電力使用パターンクラス生成処理５０１１は、Ｓ１０７における更新前のクラスタ中心集合と、更新後のクラスタ中心集合｛Ｃｋ｝とに基づいて、クラスタ中心集合｛Ｃｋ｝のうち、少なくとも１つのクラスタのクラスタ中心ＣｋのステップＳ１０７における変更量が予め設定された変更量閾値以上であるか否かを判断する（Ｓ１０８）。そして、電力使用パターンクラス生成処理５０１１は、この判断で肯定結果を得るとステップＳ１０４に戻り、この後、ステップＳ１０４〜ステップＳ１０８を繰り返す。
【００６７】
そして、電力使用パターンクラス生成処理５０１１は、すべてのクラスタのクラスタ中心Ｃｋの変更量が閾値未満となると（Ｓ１０８：ＹＥＳ）、そのときのクラスタ中心集合｛Ｃｋ｝及びクラスタ需要家ＩＤリスト集合｛Ｘｋ｝をメモリ５００２に保存する（Ｓ１０９）。
【００６８】
次いで、電力使用パターンクラス生成処理５０１１は、すべてのクラスタ数ＫについてステップＳ１０２〜ステップＳ１０９の処理を実行し終えたか否かを判断する（Ｓ１１０）。そして、この判断で否定結果を得ると、この後、電力使用パターンクラス生成処理５０１１は、ステップＳ１０１で選択するクラスタ数Ｋを未処理の他の値（１〜Ｍ）に変更しながらステップＳ１０１〜ステップＳ１１０の処理を繰り返す。
【００６９】
そして、電力使用パターンクラス生成処理５０１１は、全てのクラスタ数Ｋ（１〜Ｍ）に対応する、クラスタ中心集合｛Ｃｋ｝及びクラスタ需要家ＩＤリスト集合｛Ｘｋ｝を保存し終えると（Ｓ１１０：ＹＥＳ）、このクラスタリング処理を終了する。
【００７０】
クラスタリング処理によれば、各クラスタ数候補に対して、需要家のロードデータ列に基づくクラスタ群を算出することができる。
【００７１】
（５−１−２）クラスタ数妥当性評価値算出処理
図１０は、上述した電力使用パターンクラス生成処理５０１１のステップＳ２１において実行されるクラスタ数妥当性評価値算出処理の具体的な処理内容を示す。クラスタ数妥当性表値算出処理は、上述したクラスタリング処理で算出したクラスタ数１〜Ｍのそれぞれのクラスタリングの結果を、ロードデータ列の特徴量とクラスタ中心との間の距離や、各クラスタ間の距離などの、複数の距離指標で評価する処理である。
【００７２】
まず、電力使用パターンクラス生成処理５０１１は、クラスタ数Ｋとして１〜Ｍ（Ｍは全需要家数）のうちのいずれか１つを選択し（Ｓ１１１）、クラスタ数ＫがステップＳ１１１で選択した個数と仮定した場合について、クラスタｋ毎に、そのクラスタ需要家ＩＤリストＸｋに属する需要家ｉの特徴量Ｓｉと、そのクラスタのクラスタ中心Ｃｋとの間の誤差（以下、これをクラスタ内誤差と呼ぶ）Ｅｋを算出する（Ｓ１１２）。具体的に、電力使用パターンクラス生成処理５０１１は、クラスタｋに属する需要家ｉ毎に、特徴量Ｓｉとクラスタｋのクラスタ中心Ｃｋとの間の距離を算出し、クラスタｋに属する全需要家に対して算出された距離を合計することによりクラスタ内誤差Ｅｋを算出する。
【００７３】
次いで、電力使用パターンクラス生成処理５０１１は、ステップＳ１１２で算出したクラスタ内誤差Ｅｋに基づいて、大きすぎるクラスタ数を抑止するためのペナルティ係数をａ、特徴量次元数をＤとして、次の式（１）によりクラスタ毎のクラスタ内適合度Ｅ（Ｋ）を算出する（Ｓ１１３）。
【００７４】
【数１】
0006603485.tif 000002
【００７５】
このクラスタ内適合度Ｅ（Ｋ）は、上述のようにクラスタ内における個々のロードデータ列のまとまり度合いを表す指標であり、クラスタ内適合度Ｅ（Ｋ）が大きいそのクラスタ内においてロードデータ列がまとまった状態にあることを表す。また、k-means法ではクラスタ数Ｋが大きければＥ（Ｋ）は小さくなりＫ＝Ｍ（全需要家数）の場合に最小となるので、電力使用パターンクラス生成処理５０１１は、k-means法におけるパラメータ数に比例するペナルティ項ａ×Ｋ×Ｄを付加する。
【００７６】
次いで、電力使用パターンクラス生成処理５０１１は、クラスタ同士間をそれぞれ分離可能な境界面ｇを多クラスサポートベクターマシンでそれぞれ算出し（Ｓ１１４）、この後、各クラスタ間のマージン（距離）の合計値をＭＫとして、次の式（２）によりクラスタ間平均分離度Ｂ（Ｋ）を算出する。
【００７７】
【数２】
0006603485.tif 000003
【００７８】
このクラスタ間平均分離度Ｂ（Ｋ）は、上述のようにクラスタ同士の分離の度合いを表す指標であり、大きいほどクラスタ同士が分離していることを表す。また、クラスタ間平均分離度は、クラスタ間の平均的な距離が大きければ増大する指標であればいずれでも良く、二つのクラスタの各組み合わせにおけるクラスタ中心間の距離の平均値であっても良い。
【００７９】
この後、電力使用パターンクラス生成処理５０１１は、すべてのクラスタ数Ｋ（１〜Ｍ）についてクラスタ内適合度Ｅ（Ｋ）及びクラスタ間平均分離度Ｂ（Ｋ）を算出し終えたか否かを判断する（Ｓ１１６）。そして、電力使用パターンクラス生成処理５０１１は、この判断で否定結果を得ると、この後、ステップＳ１１１で選択するクラスタ数Ｋを未処理の他の値（１〜Ｍ）に変更しながらステップＳ１１１〜ステップＳ１１６の処理を繰り返す。
【００８０】
そして、電力使用パターンクラス生成処理５０１１は、すべてのクラスタ数Ｋ（１〜Ｍ）についてクラスタ内適合度Ｅ（Ｋ）及びクラスタ間平均分離度Ｂ（Ｋ）を算出し終えると（Ｓ１１６：ＹＥＳ）、このクラスタ数妥当性評価値算出処理を終了する。
【００８１】
クラスタ数妥当性評価値算出処理によれば、各クラスタ数候補のクラスタ群を評価することができる。
【００８２】
（５−１−３）最適クラスタ数決定処理
図１１は、上述した電力使用パターンクラス生成処理５０１１のステップＳ１２において実行される最適クラスタ数決定処理の具体的な処理内容を示す。
【００８３】
図１２は、適合度最適クラスタ数と分離度最適クラスタ数の決定方法を示す。図１２において横軸はクラスタ数を示し、縦軸は妥当性指標を示す。妥当性指標は、クラスタ内適合度Ｅ（Ｋ）とクラスタ間平均分離度Ｂ（Ｋ）である。適合度最適クラスタ数ＣＬ１は、クラスタ内適合度Ｅ（Ｋ）の最大値に対応するクラスタ数である。分離度最適クラスタ数ＣＬ２は、クラスタ間平均分離度Ｂ（Ｋ）の最大値に対応するクラスタ数である。なお、適合度最適クラスタ数ＣＬ１は、クラスタ数の変化量に対するクラスタ内適合度Ｅ（Ｋ）の変化量の割合が予め設定された第１の閾値以下となる最小のクラスタ数であってもよい。分離度最適クラスタ数ＣＬ２は、クラスタ数の変化量に対するクラスタ間平均分離度Ｂ（Ｋ）の変化量の割合が予め設定された第２の閾値以下となる最小のクラスタ数であってもよい。 
【００８４】
まず、電力使用パターンクラス生成処理５０１１は、クラスタ数妥当性評価値算出処理において算出したクラスタ数Ｋを１〜Ｍと仮定した場合の、クラスタ数Ｋとクラスタ内適合度Ｅ（Ｋ）の関係に基づいて、上述の適合度最適クラスタ数ＣＬ１を算出する（Ｓ１２１）。
【００８５】
次いで、電力使用パターンクラス生成処理５０１１は、クラスタ数妥当性評価値算出処理において算出したクラスタ数Ｋを１〜Ｍとした場合の、クラスタ数Ｋと各クラスタ間平均分離度Ｂ（Ｋ）の関係に基づいて、上述の分離度最適クラスタ数ＣＬ２を算出する（Ｓ１２２）。
【００８６】
図１３は、クラスタ数と代表ロードデータ列の精度との関係を示す。
【００８７】
図１３に示されたケースＮＡは、適合度最適クラスタ数ＣＬ１及び分離度最適クラスタ数ＣＬ２のいずれよりも小さい値を最適クラスタ数として決定した場合を示す。この場合、個々のクラスタにおけるロードデータ列（点線）のまとまり度合いも小さく、かつクラスタ同士の分離度も小さいため、クラスタの代表ロードデータ列（実線）とそのクラスタに属する需要家のロードデータ列との差異が大きくなり過ぎる。
【００８８】
図１３に示されたケースＮＢは、適合度最適クラスタ数ＣＬ１及び分離度最適クラスタ数ＣＬ２のいずれよりも大きい値を最適クラスタ数として決定した場合を示す。この場合、個々のクラスタにおけるロードデータ列（点線）のまとまり度合いは小さく、かつクラスタ同士の分離度も小さいため、クラスタの代表ロードデータ列（実線）とそのクラスタに属する需要家のロードデータ列との差異が小さく、各クラスタに対応する電力使用パターンクラスの特徴（平日日中使用型、夜間使用型、又は、特定時期使用型など）を抽出し難い。
【００８９】
これらに対して、図１３に示されたケースＮＣは、適合度最適クラスタ数ＣＬ１及び分離度最適クラスタ数ＣＬ２間のいずれかのクラス数を最適クラスタ数として決定した場合を示す。この場合、個々のクラスタにおけるロードデータ列（点線）のまとまり度合い及びクラスタ同士の分離度が適切となるため、クラスタの代表ロードデータ列（実線）とそのクラスタに属する需要家のロードデータ列との差異が適切であり、各クラスタに対応する電力使用パターンクラスの特徴を抽出し易い。
【００９０】
そこで、この後、電力使用パターンクラス生成処理５０１１は、ステップＳ１２１で算出した適合度最適クラスタ数ＣＬ１と、ステップＳ１２２で算出した分離度最適クラスタ数ＣＬ２との間のクラスタ数の中から１つのクラスタ数を最適クラスタ数として決定する（Ｓ１２３）。
【００９１】
具体的に、電力使用パターンクラス生成処理５０１１は、適合度最適クラスタ数ＣＬ１及び分離度最適クラスタ数ＣＬ２間に少なくとも１つのクラスタ数が存在する場合には、その中央値に最も近いクラスタ数又はその中からランダムに選択したクラスタ数を最適クラスタ数として決定する。また、適合度最適クラスタ数ＣＬ１及び分離度最適クラスタ数ＣＬ２間に１つのクラスタ数も存在しない場合には、電力使用パターンクラス生成処理５０１１は、適合度最適クラスタ数ＣＬ１及び分離度最適クラスタ数ＣＬ２のうちの任意の又は予め定められたいずれか一方を最適クラスタ数として決定する。
【００９２】
最後に、電力使用パターンクラス生成処理５０１１は、ステップＳ１２３の決定結果に基づいて、最適クラスタ数の電力使用パターンクラスを示す電力使用パターンクラステーブル５００７Ａ（図５）を作成し（Ｓ１２４）、この後、この最適クラスタ数決定処理を終了する。このＳ１２４において電力使用パターンクラス生成処理５０１１は、クラスタリング処理で生成されたデータのうち、最適クラスタ数に対応するクラスタ中心集合｛Ｃｋ｝とクラスタ需要家ＩＤリスト集合｛Ｘｋ｝とを選択する。そして、電力使用パターンクラス生成処理５０１１は、各クラスタｋに対し、クラスタ中心Ｃｋを逆離散フーリエ変換することにより、代表ロードデータ列を算出する。なお、代表ロードデータ列は、クラスタ中心Ｃｋの逆離散フーリエ変換結果の代わりに、クラスタ内で最も多く現れた概形を持つロードデータ列や、クラスタ内の特定の番号に対応するロードデータ列等であってもよい。そして、電力使用パターンクラス生成処理５０１１は、電力使用パターンクラスＩＤであるｋと、代表ロードデータ列と、クラスタ需要家ＩＤリストＸｋとを用いて、電力使用パターンクラスを作成し、電力使用パターンクラステーブル５００７Ａへ登録する。そして、電力使用パターンクラス生成処理５０１１は、最適クラスタ数や、特定のクラスタの代表ロードデータ列により表される代表ロードカーブや、クラスタ需要家ＩＤリストや、クラスタ需要家ＩＤリスト内の需要家数など、作成された電力使用パターンクラスを示す情報を、情報入出力端末５２へ送信することにより、その情報を情報入出力端末５２に表示させる。これにより、小売事業者５は、最適クラスタ数や、特定のクラスタの特徴を確認することができる。情報入出力端末５２は、表示に応じて小売事業者５における管理者により入力される、電力使用パターンクラスの誘導対象区分を総収入試算装置５０へ送信する。電力使用パターンクラス生成処理５０１１は、誘導対象区分を受信すると、誘導対象区分を電力使用パターンクラステーブル５００７Ａへ登録する。なお、電力使用パターンクラス生成処理５０１１は、クラスタ中心又は代表ロードデータ列を予め設定された評価基準により評価し、評価結果に応じて誘導対象区分を判定してもよい。
【００９３】
この処理によれば、電力使用パターンクラス生成処理５０１１は、最適クラスタ数を決定すると共に、最適クラスタ数のクラスタ群と、クラスタ群に夫々対応する代表ロードデータ列群とを決定することができる。これにより、電力使用パターンクラス生成処理５０１１は、最適クラスタ数の電力使用パターンクラスを作成することができ、各需要家を最適クラスタ数の電力使用パターンクラスの何れか一つに関連付けることができる。
【００９４】
（５−２）需要家クラスカスタマイズ処理
需要家クラスカスタマイズ処理５０１２は、小売事業者５により予め登録された需要家クラスを、上述の電力使用パターンクラス生成処理５０１１により生成された電力使用パターンクラスに基づいて補正する処理である。
【００９５】
予め需要家クラスカスタマイズ処理５０１２は、図１４に示す需要家クラス登録画面を情報入出力端末５２に表示させ、需要家クラス登録処理を実行する。需要家クラス登録画面において小売事業者５は、属性情報５２０１（受電電圧、建物種別、保有設備、基本契約）を指定し、指定した属性情報に対応して、標準ロードカーブの初期値である初期標準ロードカーブ５２０２を描画により入力し、追加ボタン５２０３をクリックすることにより、需要家クラスを入力する。例えば図１４では、属性情報５２０１として、受電電圧が「高圧」、建物種別が「事務所」、保有設備が「デマンドコントローラ」と「夜間蓄熱式機器」、基本契約が「デマンドレスポンス」と「夜間割引」と指定され、指定された属性情報に対応する初期標準ロードカーブ５２０２が入力されている。
【００９６】
また、図１５は、属性情報の組合せにより総当り的に生成した５１２個の需要家クラスを表している。ここでは、受電電圧が「高圧」か「低圧」か、建物種別が「工場」か「事務所」か、保有設備として「夜間蓄熱式機器」「家屋バッテリー」「デマンドコントローラ」のそれぞれを保有しているか否か、基本契約として「深夜割引」「土日割引」「夏季割引」「デマンドレスポンス」のそれぞれを契約しているか否か、を設定項目とし、計５１２個（＝２×２×２３×２４）の需要家クラスが生成されている。需要家クラスカスタマイズ処理５０１２は、追加ボタン５２０３のクリックに応じて、小売事業者５に指定された属性情報５２０１と、指定された属性情報に対応して入力された初期標準ロードカーブ５２０２とを取得し、初期標準ロードカーブ５２０２に基づいて標準ロードデータ列の初期値である初期標準ロードデータ列を取得し、属性情報５２０１と初期標準ロードデータ列とを含む、需要家クラスを、図６に示す需要家クラステーブル５００８Ａに格納する。なお、需要家クラスカスタマイズ処理５０１２は、需要家クラスの識別番号である需要家クラスＩＤを、他の需要家クラスと被らないよう自動で割り当てる。なお、保有設備が、電熱併給発電の設備（コージェネレーション）、ガスヒートポンプエアコン（ＧＨＰ）、太陽光発電装置であってもよい。また保有設備の数は、本実施形態で図示した３つに限るものではない。
【００９７】
また、図１６は、図１５に示される「需要家クラスＩＤ＝１」と「需要家クラスＩＤ＝２」の需要家クラスの初期標準ロードカーブを表している。図１６の初期標準ロードカーブＣ１は、デマンドコントローラを保有する「需要家クラスＩＤ＝１」の需要家クラスの年間の初期標準ロードカーブを表している。図１６の初期標準ロードカーブＣ１ａは、初期標準ロードカーブＣ１のうち夏季の３日間を拡大表示している。また、図１６の初期標準ロードカーブＣ２は、デマンドコントローラを保有しない「需要家クラスＩＤ＝２」の需要家クラスの年間の初期標準ロードカーブを表している。図１６の初期標準ロードカーブＣ２ａは、初期標準ロードカーブＣ２のうち夏季の３日間を拡大表示している。ここで示されるように、小売事業者５が指定する属性情報の違い（この例ではデマンドコントローラの有無）により、対応する初期標準ロードカーブの形状も異なる。
【００９８】
なお、需要家クラスカスタマイズ処理５０１２は、小売事業者により入力された需要家クラスの初期標準ロードカーブに基づいて、別の需要家クラスの初期標準ロードカーブを生成してもよい。
【００９９】
例えば、図１６の例において、デマンドコントローラを保有しない「需要家クラスＩＤ＝２」の需要家クラスの初期標準ロードカーブＣ２が入力された場合、需要家クラスカスタマイズ処理５０１２は、初期標準ロードカーブＣ２に基づいて、デマンドコントローラを保有する「需要家クラスＩＤ＝１」の需要家クラスの初期標準ロードカーブＣ１を生成する。ここで需要家クラスカスタマイズ処理５０１２は、初期標準ロードカーブＣ２のうち、需要量が予め設定された需要量閾値を超える期間の需要量を需要量閾値まで削減し、減少分をその期間の後に追加することで、初期標準ロードカーブＣ１を生成する。
【０１００】
また、例えば、夜間蓄熱式機器を保有する需要家クラスの第一初期標準ロードカーブが入力された場合、需要家クラスカスタマイズ処理５０１２は、第一初期標準ロードカーブに基づいて、夜間蓄熱式機器を保有しない需要家クラスの第二初期標準ロードカーブを生成する。ここで需要家クラスカスタマイズ処理５０１２は、第一初期標準ロードカーブのうち、夜間の需要量を増加させ、増加分を翌朝の需要量から減少させることで、第二初期標準ロードカーブを生成する。
【０１０１】
また、例えば、基本契約が夜間割引でない需要家クラスの第一初期標準ロードカーブが入力された場合、需要家クラスカスタマイズ処理５０１２は、第一初期標準ロードカーブに基づいて、基本契約が夜間割引である需要家クラスの第二初期標準ロードカーブを生成する。ここで需要家クラスカスタマイズ処理５０１２は、第一初期標準ロードカーブのうち、夜間の需要量を増加させ、昼間の需要量を減少させることで、第二初期標準ロードカーブを生成する。
【０１０２】
また、例えば、基本契約が土日割引でない需要家クラスの第一初期標準ロードカーブが入力された場合、需要家クラスカスタマイズ処理５０１２は、第一初期標準ロードカーブに基づいて、基本契約が土日割引である需要家クラスの第二初期標準ロードカーブを生成する。ここで需要家クラスカスタマイズ処理５０１２は、第一初期標準ロードカーブのうち、土日の需要量を増加させ、平日の需要量を減少させることで、第二初期標準ロードカーブを生成する。
【０１０３】
また、例えば、基本契約が夏季割増でない需要家クラスの第一初期標準ロードカーブが入力された場合、需要家クラスカスタマイズ処理５０１２は、第一初期標準ロードカーブに基づいて、基本契約が夏季割増である需要家クラスの第二初期標準ロードカーブを生成する。ここで需要家クラスカスタマイズ処理５０１２は、第一初期標準ロードカーブのうち、夏季の需要量を減少させ、夏季以外の需要量を増加させることで、第二初期標準ロードカーブを生成する。
【０１０４】
需要家クラスカスタマイズ処理５０１２の一例を、図１７のフローチャートを用いて説明する。
【０１０５】
まず、ステップＳ２０にて需要家クラスカスタマイズ処理５０１２は、電力使用パターンクラスの誘導の対象とする需要家（小売事業者５の利益増に寄与する需要家）と電力使用パターンクラスの誘導の対象としない需要家（小売事業者５の利益増に寄与しない需要家）とを適切に分類する属性を発見するための、診断決定木を生成する。次いで、ステップＳ２１にて需要家クラスカスタマイズ処理５０１２は、ステップＳ２０にて生成した診断決定木を用いて、電力使用パターンクラスの誘導の対象とする需要家（以下、誘導対象の需要家）と、電力使用パターンクラスの誘導の対象とする需要家（以下、誘導対象外の需要家）とを適切に分類できる属性を抽出する。最後に、ステップＳ２２にて需要家クラスカスタマイズ処理５０１２は、各需要家クラスに属する電力使用パターンクラスの代表ロードデータ列に基づいて、各需要家クラスの標準ロードデータ列を更新する。
【０１０６】
以上の処理により、需要家クラスカスタマイズ処理５０１２は、誘導対象の需要家と誘導対象外の需要家を適切に分類する属性を発見し、需要家属性データに基づき予め指定された各需要家クラスの標準ロードデータ列を需要実勢に合わせて補正することができる。
【０１０７】
（５−２−１）診断決定木生成処理
図１８は、上述した需要家クラスカスタマイズ処理５０１２のステップＳ２０において実行される診断決定木生成処理の具体的な処理内容を示す。
【０１０８】
まず、需要家クラスカスタマイズ処理５０１２は、需要家クラステーブル５００８Ａの中から１つの需要家クラスｊを選択する（Ｓ２０１）。次いで、ステップＳ２０１にて選択した需要家クラスｊの「電力使用パターンクラスＩＤリスト」を参照し、「電力使用パターンクラスＩＤリスト」に含まれる各電力使用パターンクラスの誘導対象区分を取得する（Ｓ２０２）。
【０１０９】
次いで、ステップＳ２０２で取得した各電力使用パターンクラスの誘導対象区分に基づき、需要家クラスｊの分割要否を判定する（Ｓ２０３）。ここで、需要家クラスｊの中に誘導対象区分が「誘導対象」の電力使用パターンクラスと「誘導対象外」の電力使用パターンクラスが混在している場合、需要家クラスカスタマイズ処理５０１２は「分割の必要あり」と判定する。需要家クラスｊの中に誘導対象区分が「誘導対象」の電力使用パターンクラスのみ存在する場合、また「誘導対象外」の電力使用パターンクラスのみ存在する場合、需要家クラスカスタマイズ処理５０１２は「分割の必要なし」と判定する。「分割の必要あり」と判定された場合は後述するステップＳ２０４に進み、「分割の必要なし」と判定された場合は後述するステップＳ２１５に進む。
【０１１０】
次いで、需要家クラスカスタマイズ処理５０１２は、需要家クラスｊの電力使用パターンクラスＩＤリストに示された電力使用パターンクラスを特定し、特定された電力使用パターンクラスのクラスタ需要家ＩＤリストをクラスタ需要家ＩＤリスト集合｛Ｘｋ｝として取得し、需要家クラスｊの属性情報に含まれる属性項目の集合を属性項目集合｛Ａｐ｝として取得する（Ｓ２０４）。そして、需要家クラスカスタマイズ処理５０１２は、生成しようとする診断決定木のルート（最上位のノード）を現在のノードとして選択する（Ｓ２０５）。
【０１１１】
次いで、需要家クラスカスタマイズ処理５０１２は、クラスタ需要家ＩＤリスト集合｛Ｘｋ｝に含まれる需要家のクラスタの平均情報量Ｈ（｛Ｘｋ｝）を次の式（３）により算出する（Ｓ２０６）。
【０１１２】
【数３】
0006603485.tif 000004
【０１１３】
ここで、ｎはすべての電力使用パターンクラスＩＤの集合であり、ｋは需要家クラスｊの電力使用パターンクラスＩＤリストに示された電力使用パターンクラスＩＤの集合である。また、｜Ｘｋ｜はクラスタｋに含まれる需要家数とする。
【０１１４】
需要家クラスｊの需要家が属するクラスタの広がりが大きい（クラスタ数が多い）ほど、平均情報量Ｈ（｛Ｘｋ｝）は大きくなる。また、需要家クラスｊの需要家が属するクラスタの広がりが小さい（クラスタ数が少ない）ほど、平均情報量Ｈ（｛Ｘｋ｝）は小さくなる。需要家クラスｊの全需要家が１つのクラスタのみに所属している場合には最小値の０となる。
【０１１５】
次いで、需要家クラスカスタマイズ処理５０１２は、需要家クラスｊの属性項目集合｛Ａｐ｝から、１つの属性項目Ａｐを選択し（Ｓ２０７）、選択した属性項目Ａｐが取り得る属性値ａｐ，１，ａｐ，２，ａｐ，３，…の中の一つの属性値ａｐ，ｑを選択する。ここでｐは属性項目のインデックスを示し、ｑは属性値のインデックスを示す。なお、ａｐ，ｑは、属性値の範囲や条件を示していてもよい。例えば、属性項目Ａ１が「受電電圧」を示す場合、属性値ａ１，１は「高圧」を示し、ａ１，２は「低圧」を示す。そして、需要家クラスカスタマイズ処理５０１２は、需要家クラスｊのクラスタ需要家ＩＤリスト集合｛Ｘｋ｝内で属性値ａｐ，ｑを持つ需要家を特定し、クラスタ需要家ＩＤリスト集合｛Ｘｋ｝のうち、特定された需要家の需要家ＩＤに限定した部分需要家ＩＤリスト集合｛Ｙｋ,ｑ｝を作成し、その部分需要家ＩＤリスト集合｛Ｙｋ,ｑ｝に含まれる需要家数｜Ｙｋ,ｑ｜を算出し、選択した属性項目Ａｐについての情報ゲイン（情報利得比）ＩＧ（Ａｐ）を次の式（４）により算出する（Ｓ２０８）。
【０１１６】
【数４】
0006603485.tif 000005
【０１１７】
なお情報ゲインＩＧ（Ａｐ）は、クラスタ需要家ＩＤリスト集合｛Ｘｋ｝から部分需要家ＩＤリスト｛Ｙｋ,ｑ｝を除外した場合に、クラスタ需要家ＩＤリスト集合に含まれる需要家が属するクラスタの広がりがどの程度減少するかを表すパラメータである。
【０１１８】
この後、需要家クラスカスタマイズ処理５０１２は、すべての属性項目Ａｐについて情報ゲインＩＧ（Ａｐ）を算出し終えたか否かを判断し（Ｓ２０９）、否定結果を得るとステップＳ２０７に戻る。そして、この後、需要家クラスカスタマイズ処理５０１２は、ステップＳ２０７〜ステップＳ２０９の処理を繰り返す。
【０１１９】
そして、需要家クラスカスタマイズ処理５０１２は、すべての属性項目Ａｐについて情報ゲインＩＧ（Ａｐ）を算出し終えることによりステップＳ２０９で肯定結果を得ると、上述の処理により得られた情報ゲインＩＧ（Ａｐ）の最大値に対応する属性項目Ａｐ＊を、診断決定木の現在のノードに設定し（Ｓ２１０）、属性項目Ａｐ＊の属性値ａｐ＊，1，ａｐ＊，２，ａｐ＊，３，…のそれぞれについて子ノードを作成する（Ｓ２１１）。
【０１２０】
次いで、需要家クラスカスタマイズ処理５０１２は、上述の属性項目Ａｐ＊の各属性値ａｐ＊，ｑに対応する部分需要家ＩＤリスト｛Ｙｋ，ｑ｝を、当該属性値ａｐ＊，ｑに対応する子ノードのための新たなクラスタ需要家ＩＤリスト集合｛Ｘｋ｝として記録する。また、需要家クラスカスタマイズ処理５０１２は、属性項目集合｛Ａｐ｝から、上述の情報ゲインＩＧ（Ａｐ）の最大値に対応する属性項目Ａｐ＊を除いた部分集合｛Ａｐ＼Ａｐ＊｝を各子ノードのための新たな属性項目集合｛Ａｐ｝として記録する（Ｓ２１２）。
【０１２１】
次いで、需要家クラスカスタマイズ処理５０１２は、すべてのノードについてステップＳ２０６〜ステップＳ２１２の処理を実行し終えたか否かを判断し（Ｓ２１３）、否定結果を得ると、この後、ステップＳ２０５で選択するノードを未処理の他のノードに順次切り替えながらステップＳ２０５〜ステップＳ２１３の処理を繰り返す。
【０１２２】
そして、需要家クラスカスタマイズ処理５０１２は、すべてのノードで対応する属性項目Ａｐ＊を決定することによりステップＳ２１３で肯定結果を得ると、需要家クラスｊに対応する診断決定木をメモリ５００２に保存する（Ｓ２１４）。
【０１２３】
次いで、需要家クラスカスタマイズ処理５０１２は、すべての需要家クラスｊについてステップＳ２０２〜Ｓ２１３の処理を実行し終えたか否かを判定し（Ｓ２１５）、否定結果を得るとステップＳ２０１に戻る。そして、この後、ステップＳ２０１において選択する需要家クラスｊを未処理の他の需要家クラスｊに順次切り替えながら、ステップＳ２０１〜Ｓ２１５の処理を繰り返す。
【０１２４】
そして、需要家クラスカスタマイズ処理５０１２は、すべての需要家クラスｊについて診断決定木を生成し終えることによりステップＳ２１５で肯定結果を得ると、診断決定木生成処理を終了する。
【０１２５】
この処理によれば、小売事業者５は、需要家クラスを誘導対象の電力使用パターンクラスと誘導対象外の電力使用パターンクラスとに分割するための、診断決定木を生成することができる。
【０１２６】
（５−２−２）分類属性抽出処理
図１９は、上述した需要家クラスカスタマイズ処理５０１２のステップＳ２１において実行される分類属性抽出処理の具体的な処理内容を示す。
【０１２７】
まず、需要家クラスカスタマイズ処理５０１２は、需要家クラステーブル５００８Ａの中から１つの需要家クラスｊを選択する（Ｓ２２１）。次いで、需要家クラスカスタマイズ処理５０１２は、診断決定木生成処理にて生成された需要家クラスｊの診断決定木に基づき、需要家クラスｊに含まれる誘導対象の電力使用パターンクラスと誘導対象外の電力使用パターンクラスとを分類する分類属性情報を抽出する（Ｓ２２２）。
【０１２８】
例えば図２０の診断決定木において、「電力使用パターンクラスＩＤ＝６」が「誘導対象」の電力使用パターンクラスであり、「電力使用パターンクラスＩＤ＝３」と「電力使用パターンクラスＩＤ＝８」が「誘導対象外」の電力使用パターンクラスであるとすると、需要家クラスカスタマイズ処理５０１２は、誘導対象の電力使用パターンクラス（電力使用パターンクラスＩＤ＝６）のみを抽出する分類属性情報として、「建物種別：工場」かつ「床面積：５００ｍ２未満」という属性項目と属性値を抽出する。
【０１２９】
次いで、需要家クラスカスタマイズ処理５０１２は、需要家クラスｊに関する分類属性情報をメモリ５００２に保存する（Ｓ２２３）。
【０１３０】
最後に、需要家クラスカスタマイズ処理５０１２は、すべての需要家クラスｊについてステップＳ２２２〜Ｓ２２３の処理を実行し終えたか否かを判定し（Ｓ２２４）、否定結果を得るとステップＳ２２１に戻る。そして、この後、需要家クラスカスタマイズ処理５０１２は、ステップＳ２２１において選択する需要家クラスｊを未処理の他の需要家クラスｊに順次切り替えながら、ステップＳ２２１〜Ｓ２２４の処理を繰り返す。
【０１３１】
そして、需要家クラスカスタマイズ処理５０１２は、すべての需要家クラスｊについて分類属性情報を抽出し終えることによりステップＳ２２４で肯定結果を得ると、分類属性抽出処理を終了する。
【０１３２】
この処理によれば、小売事業者５は、需要家クラスを誘導対象の電力使用パターンクラスと誘導対象外の電力使用パターンクラスとに分割するための、属性情報を抽出することができる。
【０１３３】
（５−２−３）標準ロードカーブ更新処理
図２１は、上述した需要家クラスカスタマイズ処理５０１２のステップＳ２２において実行される標準ロードカーブ更新処理の具体的な処理内容を示す。
【０１３４】
まず、需要家クラスカスタマイズ処理５０１２は、需要家クラステーブル５００８Ａの中から１つの需要家クラスｊを選択する（Ｓ２３１）。次いで、需要家クラスカスタマイズ処理５０１２は、需要家クラスｊの「電力使用パターンクラスＩＤリスト」を参照し、「電力使用パターンクラスＩＤリスト」に含まれる各電力使用パターンクラスの代表ロードデータ列を取得する（Ｓ２３２）。
【０１３５】
次いで、需要家クラスカスタマイズ処理５０１２は、ステップＳ２３２にて取得した各電力使用パターンクラスの代表ロードデータ列を平均化することにより需要家クラスｊの標準ロードデータ列を算出し、需要家クラステーブル５００８Ａの標準ロードデータ列を更新する（Ｓ２３３）。
【０１３６】
次いで、需要家クラスカスタマイズ処理５０１２は、すべての需要家クラスｊについてステップＳ２３１〜Ｓ２３３の処理を実行し終えたか否かを判定し（Ｓ２３４）、否定結果を得るとステップＳ２３１に戻る。そして、この後、需要家クラスカスタマイズ処理５０１２は、ステップＳ２３１において選択する需要家クラスｊを未処理の他の需要家クラスｊに順次切り替えながら、ステップＳ２３１〜Ｓ２３４の処理を繰り返す。
【０１３７】
そして、需要家クラスカスタマイズ処理５０１２は、すべての需要家クラスｊについて標準ロードデータ列を更新し終えることによりステップＳ２３４で肯定結果を得ると、標準ロードカーブ更新処理を終了する。
【０１３８】
この処理によれば、需要家クラスカスタマイズ処理５０１２は、需要家クラスに関連付けられた電力使用パターンクラスの代表ロードデータ列を用いて、需要家クラスの標準ロードデータ列を算出することにより、需要家クラスの標準ロードデータ列を実情に合わせることができる。
【０１３９】
（５−３）加入条件追加処理
加入条件追加処理５０１５は、料金メニュークラスの加入条件に、電力使用パターンクラスの誘導対象区分が「誘導対象」である需要家のみ加入可能とするような加入条件を新たに追加する処理である。
【０１４０】
本処理の一例を、図２２のフローチャートを用いて説明する。
【０１４１】
まず、加入条件追加処理５０１５は、需要家クラステーブル５００８Ａの中から１つの需要家クラスｊを選択する（Ｓ３０１）。次いで、加入条件追加処理５０１５は、需要家クラスｊの「加入可能料金メニュークラスＩＤリスト」を参照し「加入可能料金メニュークラスＩＤリスト」の中から１つの料金メニュークラスｈを選択する（Ｓ３０２）。次いで、加入条件追加処理５０１５は、上述の分類属性抽出処理にて抽出された需要家クラスｊの分類属性情報に示されている属性項目及び属性値を、料金メニュークラスｈの加入条件に追加する（Ｓ３０３）。例えば、需要家クラスｊの分類属性情報が、「建物種別：工場」かつ「床面積：５００ｍ２未満」である場合、加入条件追加処理５０１５は、料金メニュークラステーブル５００８Ａにおける料金メニュークラスｈの加入条件項目に「建物種別」と「床面積」を追加し、それらの加入条件項目に対応する値として「工場」と「５００ｍ２未満」をそれぞれ追加する。
【０１４２】
次いで、加入条件追加処理５０１５は、すべての料金メニュークラスｈについてステップＳ３０３の処理を実行し終えたか否かを判定し（Ｓ３０４）、否定結果を得るとステップＳ３０２に戻る。そして、この後、加入条件追加処理５０１５は、ステップＳ３０２において選択する料金メニュークラスｈを未処理の他の料金メニュークラスｈに順次切り替えながら、ステップＳ３０２〜Ｓ３０４の処理を繰り返す。
【０１４３】
そして、加入条件追加処理５０１５は、すべての料金メニュークラスｈについて分類属性情報を追加し終えることによりステップＳ３０４で肯定結果を得ると、すべての需要家クラスｊについてステップＳ３０２〜Ｓ３０４の処理を実行し終えたか否かを判定し（Ｓ３０５）、否定結果を得るとステップＳ３０１に戻る。そして、この後、加入条件追加処理５０１５は、ステップＳ３０１において選択する需要家クラスｊを未処理の他の需要家クラスｊに順次切り替えながら、ステップＳ３０１〜Ｓ３０５の処理を繰り返す。
【０１４４】
そして、加入条件追加処理５０１５は、すべての需要家クラスｊについて分類属性情報を追加し終えることによりステップＳ３０５で肯定結果を得ると、加入条件追加処理を終了する。
【０１４５】
この処理によれば、小売事業者５は、誘導対象の電力使用パターンクラスに属する需要家と、誘導対象外の電力使用パターンクラスに属する需要家とを含む需要家クラスのうち、誘導対象の電力使用パターンクラスに属する需要家のための加入条件を特定の料金メニュークラスに追加することにより、その需要家を特定の料金メニュークラスへ誘導することができる。
【０１４６】
（５−４）需要家応答モデル作成処理
需要家応答モデル作成処理５０１３は、料金メニュー改定による需要家の応答を推定するための需要家応答モデルを作成する処理である。
【０１４７】
本処理の一例を、図２３のフローチャートを用いて説明する。
【０１４８】
まず、需要家応答モデル作成処理５０１３は、需要家クラステーブル５００８Ａの中から１つの需要家クラスｊを選択する（Ｓ４０１）。次いで、需要家応答モデル作成処理５０１３は、需要家クラスｊの「加入可能料金メニュークラスＩＤリスト」を参照して「加入可能料金メニュークラスＩＤリスト」の中から１つの料金メニュークラスｈを選択する（Ｓ４０２）。次いで、需要家応答モデル作成処理５０１３は、需要家クラスｊに属する需要家が料金メニュークラスｈの料金メニューを契約することにより享受するメリット量の履歴データＸｊ, ｈ（ｔ）を、顧客料金管理装置５３から取得する（Ｓ４０３）。ここでメリット量とは、電気料金の割引率などである。
【０１４９】
図２４は、料金メニュークラスのメリット量と契約者数の時間変化を示す。例として、メリット量の時間変化を示すＨＡは、料金メニュークラスｈにおける時刻Ｔ０からＴ２までの割引率の履歴データを表しており、時刻Ｔ０からＴ１までは割引率５％で推移し、時刻Ｔ１からＴ２までは割引率１５％で推移している。
【０１５０】
次いで、需要家応答モデル作成処理５０１３は、需要家クラスｊに属する需要家のうち、料金メニュークラスｈを契約している契約者数の履歴データＹｊ, ｈ（ｔ）を、顧客料金管理装置５３から取得する（Ｓ４０４）。例として、契約者数の時間変化を示すＨＢは、時刻Ｔ０からＴ２までの契約者数の履歴データを表しており、時刻Ｔ０からＴ１までは契約者数が１０００件で、メリット量が増加する時刻Ｔ１からＴ２までは契約者数が１０００件から４０００件まで増加している。
【０１５１】
次いで、需要家応答モデル作成処理５０１３は、需要家クラスｊの加入可能料金メニュークラスリストに含まれるすべての料金メニュークラスｈについてステップＳ４０３〜Ｓ４０４の処理を実行し終えたか否かを判定し（Ｓ４０５）、否定結果を得るとステップＳ４０２に戻る。そして、この後、需要家応答モデル作成処理５０１３は、ステップＳ４０２において選択する料金メニュークラスｈを未処理の他の料金メニュークラスｈに順次切り替えながら、ステップＳ４０２〜Ｓ４０５の処理を繰り返す。
【０１５２】
そして、需要家応答モデル作成処理５０１３は、需要家クラスｊに属する需要家が加入できるすべての料金メニュークラスについてメリット量の履歴データＸｊ, ｈ（ｔ）と契約者数の履歴データＹｊ, ｈ（ｔ）の取得を終えると（Ｓ４０５：ＹＥＳ）、取得したメリット量の履歴データＸｊ, ｈ（ｔ）と契約者数の履歴データＹｊ, ｈ（ｔ）を用いて、次の式（５）により表されるシステムモデルのパラメータＴとＫを推定する（Ｓ４０６）。
【０１５３】
【数５】
0006603485.tif 000006
【０１５４】
ここで、式（５）は１次遅れ系のシステムモデルを表しており、Ｔは時定数、Ｋはゲインである。このシステムモデルは、メリット量を入力とし、契約者数を出力とする。需要家応答モデル作成処理５０１３は、メリット量の履歴データと契約者数の履歴データに対して、システムモデルの出力誤差が最小となるように、パラメータＴ，Ｋを推定する。式（５）で表されるシステムモデルは１次遅れ系のモデルであるが、他にも２次遅れ系のモデルや、ＡＲＸモデル、ＡＲＭＡＸモデルのような時系列モデルが用いられても良い。システムモデルのパラメータは、最小二乗法などを用いることにより推定できる。
【０１５５】
次いで、需要家応答モデル作成処理５０１３は、すべての需要家クラスｊについてステップＳ４０２〜Ｓ４０６の処理を実行し終えたか否かを判定し（Ｓ４０７）、否定結果を得るとステップＳ４０１に戻る。そして、この後、需要家応答モデル作成処理５０１３は、ステップＳ４０１において選択する需要家クラスｊを未処理の他の需要家クラスｊに順次切り替えながら、ステップＳ４０１〜Ｓ４０７の処理を繰り返す。
【０１５６】
そして、需要家応答モデル作成処理５０１３は、すべての需要家クラスについてシステムモデルのパラメータ推定を終えると（Ｓ４０７：ＹＥＳ）、この需要家応答モデル作成処理を終える。
【０１５７】
（５−５）需要家応答推定処理
需要家応答推定処理５０１４は、需要家応答モデル作成処理５０１３で作成した各需要家クラスの需要家応答モデルを用いて、料金メニュー改定による需要家の応答（応答契約者数）を推定する処理である。
【０１５８】
本処理の一例を、図２５のフローチャートを用いて説明する。
【０１５９】
まず、需要家応答推定処理５０１４は、料金メニュークラステーブル５００９Ａの中から料金単価改定の対象とする料金メニュークラスを１つ選択し、選択した料金メニュークラスの料金単価を要素とする料金単価ベクトル（料金単価候補）Ｐｍ（＝［ｐｍ,１, ｐｍ,２, …, ｐｍ, ｔ］）を複数生成する（Ｓ６０１）。ただし、ｍは料金単価ベクトルを識別するための料金単価ベクトル番号である。ここで、ｐｍ,１, ｐｍ,２, …, ｐｍ, ｔはそれぞれ時間帯毎の料金単価を表す。例えば、需要家応答推定処理５０１４は、時間帯を１時間単位とし、料金単価改定の対象とする料金メニュークラスとして、図７に示す料金メニュークラスＩＤ＝１の料金メニュークラスを選択した場合、現行の料金単価に従うとｐｍ,１, ｐｍ,２, …, ｐｍ, ８が「１２円/ｋＷｈ」、ｐｍ,９, ｐｍ,１０, …, ｐｍ, ２４が「１９円ｋＷｈ」の料金単価ベクトルを生成できる。また、改定後の料金単価の候補として、ｐｍ,１, ｐｍ,２, …, ｐｍ, ８を「１１円/ｋＷｈ」、「１０円/ｋＷｈ」、…と変更したり、ｐｍ,９, ｐｍ,１０, …, ｐｍ, ２４を「１８円/ｋＷｈ」、「１７円/ｋＷｈ」、…と変更したりすることで、改定後の料金単価候補を要素とする料金単価ベクトルを複数生成できる。本実施例で需要家応答推定処理５０１４は、料金単価ベクトルの各要素に対し、予め指定した料金単価の上下限値と刻み幅に従って連続的に変化させることにより、複数の料金単価ベクトルを生成する。
【０１６０】
次いで、需要家応答推定処理５０１４は、ステップＳ６０１で生成した料金単価ベクトルの中から１つの料金単価ベクトルを選択する（Ｓ６０２）。次いで、需要家応答推定処理５０１４は、ステップＳ６０２で選択した料金単価ベクトルを用いて、需要家７が享受するメリット量を計算する（Ｓ６０３）。例えば、需要家応答推定処理５０１４は、予め指定した料金単価の基準値に対する割引率をメリット量とする。
【０１６１】
次いで、需要家応答推定処理５０１４は、需要家クラステーブル５００８Ａの中から１つの需要家クラスｊを選択し（Ｓ６０４）、上述の需要家応答モデル推定処理５０１３にて推定した需要家クラスｊの需要家応答モデルを取得する（Ｓ６０５）。
【０１６２】
次いで、需要家応答推定処理５０１４は、ステップＳ６０５で取得した需要家クラスｊの需要家応答モデルに、ステップＳ６０３で計算したメリット量Ｘｊ（ｔ）を入力することにより、需要家クラスｊの応答契約者数Ｙｊ（ｔ）を推定する（Ｓ６０６）。次いで、需要家応答推定処理５０１４は、ステップＳ６０６で推定した応答契約者数を用いて、需要家クラスｊに属する需要家のうち、料金メニュークラス毎の契約者数を試算する（Ｓ６０７）。
【０１６３】
次いで、需要家応答推定処理５０１４は、すべての需要家クラスについてステップＳ６０５〜Ｓ６０７の処理を実行し終えたか否かを判定し（Ｓ６０８）、否定結果を得るとステップＳ６０４に戻る。そして、この後、需要家応答推定処理５０１４は、ステップＳ６０４において選択する需要家クラスを未処理の他の需要家クラスに順次切り替えながら、ステップＳ６０４〜Ｓ６０８の処理を繰り返す。
【０１６４】
そして、需要家応答推定処理５０１４は、すべての需要家クラスについて応答契約者数を計算し終えると（Ｓ６０８：ＹＥＳ）、すべての料金単価ベクトルについてステップＳ６０３〜Ｓ６０８の処理を実行し終えたか否かを判定し（Ｓ６０９）、否定結果を得るとステップＳ６０２に戻る。そして、この後、需要家応答推定処理５０１４は、ステップＳ６０２において選択する料金単価ベクトルを未処理の他の料金単価ベクトルに順次切り替えながら、ステップＳ６０２〜Ｓ６０９の処理を繰り返す。
【０１６５】
そして、需要家応答推定処理５０１４は、すべての料金単価ベクトルについて応答契約者数を計算し終えると（Ｓ６０９：ＹＥＳ）、この需要家応答推定処理を終える。
【０１６６】
この処理によれば、小売事業者５は、特定の料金メニュークラスの変更に伴う、契約者数の変化を考慮して、総収入を試算することができる。
【０１６７】
（５−６）販売収入試算処理
販売収入試算処理５０１６は、上述の需要家応答推定処理５０１４にて生成した料金単価ベクトル毎に小売事業者５の販売収入を試算する処理である。
【０１６８】
本処理の一例を、図２６のフローチャートを用いて説明する。
【０１６９】
まず、販売収入試算処理５０１６は、需要家応答推定処理５０１４にて生成した複数の料金単価ベクトルの中から１つの料金単価ベクトルを選択する（Ｓ７０１）。
【０１７０】
次いで、販売収入試算処理５０１６は、需要家クラステーブル５００８Ａの中から１つの需要家クラスｊを選択し（Ｓ７０２）、需要家クラスｊの標準ロードデータ列を取得する（Ｓ７０３）。次いで、販売収入試算処理５０１６は、料金メニュークラステーブル５００９Ａの中から１つの料金メニュークラスｈを選択し（Ｓ７０４）、上述の需要家応答推定処理５０１４にて試算した需要家クラスｊに属する需要家の料金メニュークラスｈの契約者数を取得する（Ｓ７０５）。次いで、販売収入試算処理５０１６は、ステップＳ７０３で取得した需要家クラスｊの標準ロードデータ列に示される電力使用量と料金メニュークラスｈの料金単価を時間帯別に掛け合わせてそれらの総和をとり、更にステップＳ７０５で取得した契約者数を掛け合わせることにより、需要家クラスｊに属する料金メニュークラスｈの契約者への電力販売により得られる小売事業者５の販売収入Ｉｊ,ｈを試算する（Ｓ７０６）。
【０１７１】
なお、販売収入試算処理５０１６は、ステップＳ７０３に代わり、需要家クラスｊの電力使用パターンクラスＩＤリストに含まれる複数の電力使用パターンクラスの代表ロードデータ列を取得し、ステップＳ７０６に代わり、取得した各代表ロードデータ列に示される電力使用量を用いて、代表ロードデータ列毎に販売収入を試算し、その平均値を販売収入Ｉｊ,ｈとしても良い。
【０１７２】
次いで、販売収入試算処理５０１６は、すべての料金メニュークラスｈについてステップＳ７０５〜Ｓ７０６の処理を実行し終えたか否かを判定し（Ｓ７０７）、否定結果を得るとステップＳ７０４に戻る。そして、この後、販売収入試算処理５０１６は、ステップＳ７０４において選択する料金メニュークラスｈを未処理の他の料金メニュークラスｈに順次切り替えながら、ステップＳ７０５〜Ｓ７０６の処理を繰り返す。
【０１７３】
そして、販売収入試算処理５０１６は、すべての料金メニュークラスについて販売収入を計算し終えると（Ｓ７０７：ＹＥＳ）、すべての需要家クラスｊについてステップＳ７０３〜Ｓ７０７の処理を実行し終えたか否かを判定し（Ｓ７０８）、否定結果を得るとステップＳ７０２に戻る。そして、この後、販売収入試算処理５０１６は、ステップＳ７０２において選択する需要家クラスｊを未処理の他の需要家クラスｊに順次切り替えながら、ステップＳ７０２〜Ｓ７０８の処理を繰り返す。
【０１７４】
そして、販売収入試算処理５０１６は、すべての需要家クラスについて販売収入を計算し終えると（Ｓ７０８：ＹＥＳ）、次の式（６）により、総収入Ｉallを試算する（Ｓ７０９）。
【０１７５】
【数６】
0006603485.tif 000007
【０１７６】
最後に、販売収入試算処理５０１６は、すべての料金単価ベクトルについてステップＳ７０２〜Ｓ７０９の処理を実行し終えたか否かを判定し（Ｓ７１０）、否定結果を得るとステップＳ７０１に戻る。そして、この後、販売収入試算処理５０１６は、ステップＳ７０１において選択する料金単価ベクトルを未処理の他の料金単価ベクトルに順次切り替えながら、ステップＳ７０１〜Ｓ７１０の処理を繰り返す。
【０１７７】
そして、販売収入試算処理５０１６は、すべての料金単価ベクトルについて販売収入を計算し終えると（Ｓ７１０：ＹＥＳ）、この販売収入試算処理を終える。
【０１７８】
この処理によれば、特定の料金メニュークラスの料金単価の変更後の各料金メニュークラスの契約者数の推定し、変更後の料金メニュークラスと、各需要家クラスの標準ロードデータ列と、推定された契約者数を用いることにより、変更後の総収入を試算することができる。
【０１７９】
（５−７）調達コスト試算処理
調達コスト試算処理５１０８は、小売事業者５の調達コストを試算する処理である。
【０１８０】
本処理の一例を、図２７のフローチャートを用いて説明する。
【０１８１】
まず、調達コスト試算処理５１０８は、電力使用パターンクラステーブル５００７Ａに基づいて、電力販売計画を生成する（Ｓ８０１）。ここで、調達コスト試算処理５１０８は、電力使用パターンクラステーブル５００７Ａに示された複数の電力使用パターンクラスの夫々の、代表ロードデータ列と、クラスタ需要家数とに基づいて、電力の総需要を予測する。なお、調達コスト試算処理５１０８は、クラスタ需要家ＩＤリストに示された各需要家の需要家属性データを取得し、電力パターンクラス毎の代表ロードデータ列と、需要家属性データとに基づいて、電力の総需要を予測してもよい。
【０１８２】
次いで、調達コスト試算処理５１０８は、電力販売計画に対応する電力を調達するのに適した発電設備を、発電情報５１０５Ａを参照して選択し、発電運用計画を生成する（Ｓ８０２）。発電運用計画は、選択された発電設備の発電出力の時系列データを表す。
【０１８３】
次いで、調達コスト試算処理５１０８は、ステップＳ８０２で生成した電力販売計画とステップＳ８０２で生成した発電運用計画に従って発電設備を運用した時に発生する余剰電力及び不足電力の時系列データを表す電力売買計画を作成する（Ｓ８０３）。
【０１８４】
最後に、調達コスト試算処理５１０８は、発電設備の発電運用計画及び電力売買計画を実行した時に発生する総支出を試算する（Ｓ８０４）。
【０１８５】
この処理によれば、調達コスト試算処理５１０８は、電力使用パターンクラスに基づいて総支出を算出することにより、実情を反映した総支出を算出することができる。
【０１８６】
（５−８）料金メニュー最適化処理
料金メニュー最適化処理５０１７は、販売収入試算処理５０１６で得られた料金単価ベクトル毎の販売収入試算結果と、調達コスト試算処理５１０８で得られた料金単価ベクトル毎の調達コスト試算結果を用いて、料金単価ベクトル毎の総利益を試算し、総利益を最大化する適切な料金単価ベクトルを決定する処理である。
【０１８７】
本処理の一例を、図２８のフローチャートを用いて説明する。
【０１８８】
まず、料金メニュー最適化処理５０１７は、上述の需要家応答推定処理５０１４にて生成した複数の料金単価ベクトルの中から１つの料金単価ベクトルを選択し（Ｓ９０１）、次いで、料金メニュー最適化処理５０１７は、ステップＳ９０１で選択した料金単価ベクトルについて、販売収入試算処理５０１６にて試算した総収入から、調達コスト試算処理５１０８にて試算した総支出を差し引いて総利益を試算する（Ｓ９０２）。
【０１８９】
次いで、料金メニュー最適化処理５０１７は、すべての料金単価ベクトルについてステップＳ９０２の処理を実行し終えたか否かを判定し（Ｓ９０３）、否定結果を得るとステップＳ９０１に戻る。そして、この後、料金メニュー最適化処理５０１７は、ステップＳ９０１において選択する料金単価ベクトルを未処理の他の料金単価ベクトルに順次切り替えながら、ステップＳ９０１〜Ｓ９０３の処理を繰り返す。
【０１９０】
そして、料金メニュー最適化処理５０１７は、すべての料金単価ベクトルについて総利益を試算し終えると（Ｓ９０３：ＹＥＳ）、総利益を最大化する料金単価ベクトルを、最適料金単価ベクトルとして決定する（Ｓ９０４）。
【０１９１】
図２９は、料金単価ベクトル番号毎の、総収入と総支出と総利益とを示す。この例では、料金単価ベクトル番号毎の総利益を表すカーブが示され、これにより総利益を最大化する適切な料金単価ベクトル番号を決定している。ここでは、料金単価ベクトル番号が増大するほど、各時間帯の料金単価が増えるとする。
【０１９２】
料金メニュー最適化処理５０１７は、総利益のカーブや、最適料金ベクトルに基づく料金メニュークラスを示す情報等を、情報入出力端末５２へ送信することにより、その情報を情報入出力端末５２に表示させる。これにより、小売事業者５は、試算された総利益や、選択された料金単価を確認することができる。情報入出力端末５２は、表示に応じて小売事業者５における管理者により入力される、確認の情報を総収入試算装置５０へ送信する。電力使用パターンクラス生成処理５０１１は、確認を受信すると、料金メニュークラステーブル５００９Ａにおける料金単価を、最適料金ベクトルに基づく料金単価に更新する。
【０１９３】
本発明の表現のための用語について説明する。記憶部は、総収入試算装置５０のメモリ５００２、記憶部５００６、総支出試算装置５１の記憶部５１０４、顧客料金管理装置５３等に対応する。総収入試算部は、総収入試算装置５０のＣＰＵ５００１等に対応する。総支出試算部は、総支出試算装置５１のＣＰＵ５１０１等に対応する。
【０１９４】
なお、上述の実施形態において、電力使用の変動を表すロードデータ列、代表ロードデータ列、標準ロードデータ列の夫々は、時間領域のデータ列であるが、周波数領域のデータ列であってもよい。
【０１９５】
なお、電力事業損益試算システム１は、上述のデータや処理の何れかを含まなくてもよい。例えば、総収入試算装置５０は、電力使用パターンクラステーブル５００７Ａを格納せず、標準ロードカーブ更新処理を含まなくてもよい。この場合、総収入試算装置５０は、初期標準ロードデータ列を用いて販売収入試算処理５０１６により総収入を試算してもよい。この場合、総収入試算装置５０は、小売事業者５により入力された初期標準ロードカーブを総収入に反映させることができる。
【０１９６】
以上、本発明の実施形態を説明したが、これは本発明の説明のための例示であって、本発明の範囲を上記構成に限定する趣旨ではない。本発明は、他の種々の形態でも実施する事が可能である。
【符号の説明】
【０１９７】
１…電力事業損益試算システム、  ２…発電事業者、  ３…送配電事業者、  ４…取引市場運用者、  ５…小売事業者、  ６…アライアンス先、  ７…需要家、  ８…ネットワーク、  ２０…発電情報管理装置、  ３０…メータデータ管理装置、  ４０…取引情報管理装置、  ５０…総収入試算装置、  ５１…総支出試算装置、  ５２…情報入出力端末、  ５３…顧客料金管理装置、  ５４…需要家向け情報提供装置、  ６０…サービス情報管理装置、  ７０…設備制御端末、  ７１…情報入出力端末
【図１】
0006603485.tif 000008
【図２】
0006603485.tif 000009
【図３】
0006603485.tif 000010
【図４】
0006603485.tif 000011
【図５】
0006603485.tif 000012
【図６】
0006603485.tif 000013
【図７】
0006603485.tif 000014
【図８】
0006603485.tif 000015
【図９】
0006603485.tif 000016
【図１０】
0006603485.tif 000017
【図１１】
0006603485.tif 000018
【図１２】
0006603485.tif 000019
【図１３】
0006603485.tif 000020
【図１４】
0006603485.tif 000021
【図１５】
0006603485.tif 000022
【図１６】
0006603485.tif 000023
【図１７】
0006603485.tif 000024
【図１８】
0006603485.tif 000025
【図１９】
0006603485.tif 000026
【図２０】
0006603485.tif 000027
【図２１】
0006603485.tif 000028
【図２２】
0006603485.tif 000029
【図２３】
0006603485.tif 000030
【図２４】
0006603485.tif 000031
【図２５】
0006603485.tif 000032
【図２６】
0006603485.tif 000033
【図２７】
0006603485.tif 000034
【図２８】
0006603485.tif 000035
【図２９】
0006603485.tif 000036